(57)【特許請求の範囲】
【請求項１】
中央導体部品（１２）と、外側導体部品（１０）と、前記外側導体部品（１０）に対して同軸に前記中央導体部品（１２）を保持する誘電材料製の絶縁部品（２６）とを有し、前記外側導体部品（１０）と前記中央導体部品（１２）とが配設されるハウジング（１４）が設けられる同軸プラグイン挿入コネクタであって、相補的な同軸プラグイン挿入コネクタへの接続のための挿入端部（１６）を有する同軸プラグイン挿入コネクタであり、前記絶縁部品（２６）が前記ハウジング（１４）と一体形状である同軸プラグイン挿入コネクタにおいて、前記ハウジング（１４）がコーディングハウジングの形状であり、前記外側導体部品（１０）と前記中央導体部品（１２）と前記コーディングハウジング（１４）とが、前記同軸プラグイン挿入コネクタの組み立てに関して、前記外側導体部品（１０）及び前記中央導体部品（１２）が前記挿入端部（１６）から前記コーディングハウジング（１４）内に挿入することができるように設計されることを特徴とする同軸プラグイン挿入コネクタ。
【請求項２】
前記コーディングハウジングが全体的に誘電材料で製作されることを特徴とする、請求項１に記載の同軸プラグイン挿入コネクタ。
【請求項３】
前記コーディングハウジング（１４）が射出成形品の形状を取ることを特徴とする、請求項１または請求項２に記載の同軸プラグイン挿入コネクタ。
【請求項４】
前記コーディングハウジング（１４）の物理的寸法が、インタフェース領域（１６）において、５０Ω無線周波数インタフェースのためのＦＡＫＲＡ標準化方式に準拠するものであることを特徴とする、請求項１から請求項３のいずれか一つに記載の同軸プラグイン挿入コネクタ。
【請求項５】
前記外側導体部品（１０）が、少なくとも１本、特に２，３，４本の第１接点ピン（１８）を有し、前記外側導体部品（１０）が前記コーディングハウジング（１４）に装着された時に、前記外側導体部品（１０）の前記少なくとも１本の第１接点ピン（１８）が少なくとも１個の第１開口部（２０）に嵌通するように、前記少なくとも１個の第１開口部（２０）が前記コーディングハウジング（１４）に配設および形成されることを特徴とする、請求項１から請求項４のいずれか１つに記載の同軸プラグイン挿入コネクタ。
【請求項６】
前記外側導体部品（１０）の前記少なくとも１本の第１接点ピン（１８）が、前記挿入端部（１６）と反対側の前記外側導体部品（１０）の端部に配設されることを特徴とする、請求項５に記載の同軸プラグイン挿入コネクタ。
【請求項７】
前記同軸プラグイン挿入コネクタが、直線プラグイン挿入コネクタまたは傾斜プラグイン挿入コネクタの形状を取ることを特徴とする、請求項１から請求項６のいずれか１つに記載の同軸プラグイン挿入コネクタ。
【請求項８】
前記外側導体部品（１０）および／または前記中央導体部品（１２）がスタンプ加工またはプレス加工による曲げ部品の形状を取ることを特徴とする、請求項１から請求項７のいずれか１つに記載の同軸プラグイン挿入コネクタ。
【請求項９】
前記同軸プラグイン挿入コネクタが、プリント回路基板（ＰＣＢ）への電気的および機械的接続のために設計されることを特徴とする、請求項１から請求項８のいずれか１つに記載の同軸プラグイン挿入コネクタ。
【請求項１０】
前記中央導体部品（１２）が少なくとも１本の第２接点ピン（２２）を有し、前記中央導体部品（１２）が前記コーディングハウジング（１４）に装着された時に、前記中央導体部品（１２）の前記第２接点ピン（２２）が少なくとも１個の第２開口部（２４）に嵌通するように、前記少なくとも１個の第２開口部（２４）が前記コーディングハウジング（１４）に配設および形成されることを特徴とする、請求項１から請求項９のいずれか１つに記載の同軸プラグイン挿入コネクタ。
【請求項１１】
前記中央導体部品（１２）の前記少なくとも１本の第１接点ピン（２２）が、前記挿入端部（１６）と反対側の前記中央導体部品（１２）の端部に配設されることを特徴とする、請求項１０に記載の同軸プラグイン挿入コネクタ。
【請求項１２】
前記同軸プラグイン挿入コネクタがプラグまたはソケットの形状を取ることを特徴とする、請求項１から請求項１１のいずれか１つに記載の同軸プラグイン挿入コネクタ。
【発明の詳細な説明】
【技術分野】
【０００１】
本発明は、中央導体部品と、外側導体部品と、外側導体部品に対して同軸に中央導体部品を保持する誘電材料製の絶縁部品とを有して、外側導体部品と中央導体部品とが配設されるコーディングハウジングが設けられる同軸プラグイン挿入コネクタであって、相補的な同軸プラグイン挿入コネクタへの接続のための挿入端部を有する同軸プラグイン挿入コネクタであり、請求項１の前文に規定された同軸プラグイン挿入コネクタに関連する。
【背景技術】
【０００２】
特許文献１から周知であるのは、プラスチック材料のハウジングを有するとともに、ＳＭＢ接続のためのＦＡＫＲＡ（Ｆａｃｈｋｒｅｉｓ  Ａｕｔｏｍｏｂｉｔｅｃｈｎｉｋ）標準化方式と呼ばれるものに準拠する同軸プラグイン挿入コネクタである。この場合に設けられるのは、プラグイン挿入コネクタを保持および保護し、プラスチック材料のハウジングを有する別のプラグイン挿入コネクタとの接続プロセスのためにこのコネクタを予め配置する、プラスチック材料のハウジングである。嵌合するハウジングのみが相互に挿入されるように、このハウジングはさらに機械的コーディング手段を有する。
【０００３】
ＦＡＫＲＡハウジングとも呼ばれる同軸プラグイン挿入コネクタのためのこの種のプラスチック材料製ハウジングは、データ送信ケーブルのため自動車産業で使用される。これらのデータ送信ケーブルは通常、同軸ケーブル、または電気導体をベースとする同様のケーブルである。インタフェース領域におけるこのようなＦＡＫＲＡハウジングの物理的特長、つまり２個のプラスチック材料製ハウジングの間に機械的接続を設けるように相補的コネクタと協働するハウジングの軸方向部分におけるＦＡＫＲＡハウジングの物理的寸法は、非特許文献１に記載されている。「路上走行車−５０オーム無線周波数インタフェース（５０Ω  ＲＦＩ）−第１部：寸法および電気的要件」というタイトルの上記の非特許文献１の一部は、路上走行車に無線周波数を使用するため５０Ωのインピーダンスを有することで自動車との通信を保証するインタフェース（５０Ω無線周波数インタフェース）のためのコネクタおよびカプラを明記するものである。これは寸法および電気的な要件および特性を記載して、これらが適合性を持つことを保証している。周知の自動車メーカーすべてが、生産時にこの規格を守っている。同規格の内容は、ＦＡＫＲＡ（自動車規格委員会）によって明確に規定されている。
【０００４】
ドイツ標準化機構の自動車規格委員会（ＦＡＫＲＡ）は、自動車の分野での地域、国内、国際的な標準化問題を取り扱う。ＦＡＫＲＡの権限は、路上走行車が内燃エンジン、電動モータ、ハイブリッド駆動装置を装備しているかどうかに関わりなく、ＤＩＮ  ７００１０に対する路上走行車（農業用トラクタを除く）の適合性、互換性、安全性に関するすべての規格を作成することを包含する。ＦＡＫＲＡはまた、このような路上走行車（公共サービス車両、消防車、救急車を除く）のボデーについての規格も作成している。さらに、上記の自動車およびボデーに装着されたすべての装置の標準化と、貨物コンテナ（ＩＳＯコンテナ）の標準化にも責任を負っている。標準化は、自動車の設計および構造における合理化および品質保証と、自動車の環境調和性とを促進する。また、技術および科学の現状に見合った車両安全性および輸送安全性の向上と、製造者および消費者の利益にも貢献する。
【先行技術文献】
【特許文献】
【０００５】
【特許文献１】米国公開特許公報第２００３／０１７６１０４Ａ１号
【非特許文献】
【０００６】
【非特許文献１】２００４年１０月版のＤＩＮ規格第７２５９４−１号
【発明の概要】
【発明が解決しようとする課題】
【０００７】
本発明の根源的な目的は、上記種類の同軸プラグイン挿入コネクタを製造および組立の観点から改良することである。
【課題を解決するための手段】
【０００８】
この目的は、請求項１に挙げられた特徴的な点を有する上記種類の同軸プラグイン挿入コネクタにより、本発明に従って達成される。本発明の好都合な実施形態は、他の請求項に記載されている。
【０００９】
上記種類の同軸プラグイン挿入コネクタでは、絶縁部品をハウジングとの一体形状とするための手段が本発明に従って設けられる。
【００１０】
この手段は、同軸プラグイン挿入コネクタを組み立てるのに独立した絶縁部品が必要ではなく、製造および組立を単純にするという効果を有する。
【００１１】
コーディングハウジングは、全体が誘電材料で製作されると有用である。
【００１２】
好適な実施形態では、コーディングハウジングは射出成形品の形状を取る。
【００１３】
コーディングハウジングは例えば、インタフェース領域におけるその物理的寸法が５０Ω無線周波数インタフェースのためのＦＡＫＲＡ標準化方式に準拠するものであるように設計される。
【００１４】
特に好適である実施形態では、外側導体部品は、少なくとも１本、特に２，３，４本の第１接点ピンを有し、外側導体部品がコーディングハウジングに装着された時に外側導体部品の少なくとも１本の第１接点ピンが少なくとも１個の第１開口部に嵌通するように、少なくとも１個の第１開口部がコーディングハウジングに配設および形成される。外側導体部品の少なくとも１本の第１接点ピンは、この場合、挿入端部と反対である外側導体部品の端部に配設されることが好ましい。
【００１５】
同軸プラグイン挿入コネクタは、直線プラグイン挿入コネクタまたは傾斜プラグイン挿入コネクタの形を取ると有用である。
【００１６】
スタンプ加工またはプレス加工による曲げ部品の形状を外側導体部品および／または中央導体部品に取らせることにより、本発明による同軸プラグイン挿入コネクタの特に低価格での製造が達成される。
【００１７】
同軸プラグイン挿入コネクタは、プリント回路基板（ＰＣＢ）への電気的および機械的接続のために設計されると有用である。
【００１８】
好適な実施形態では、中央導体部品は少なくとも１本の第２接点ピンを有し、中央導体部品がコーディングハウジングに装着された時に、中央導体部品の第２接点ピンが少なくとも１個の第２開口部に嵌通するように、少なくとも１個の第２開口部がコーディングハウジングに配設および形成される。中央導体部品の少なくとも１本の第２接点ピンは、この場合、挿入端部と反対である中央導体部品の端部に配設されることが好ましい。
【００１９】
同軸プラグイン挿入コネクタは、プラグまたはソケットの形状を取ると有用である。
【図面の簡単な説明】
【００２０】
図面を参照して、本発明を以下で説明する。図面において、
【図１】本発明による同軸プラグイン挿入コネクタの好適な実施形態の分解図である。
【図２】図１に示された同軸プラグイン挿入コネクタの分解断面図である。
【図３】図１に示された同軸プラグイン挿入コネクタを組立状態で示す斜視図である。
【図４】図１に示された同軸プラグイン挿入コネクタを組立状態で示す断面図である。
【図５】図１に示された同軸プラグインコネクタを組立状態で示す別の断面図である。
【発明を実施するための形態】
【００２１】
図１から５に示された本発明による同軸プラグイン挿入コネクタの好適な実施形態は、外側導体部品１０と中央導体部品１２とコーディングハウジング１４とを包含する。同軸プラグイン挿入コネクタは、インタフェース領域を有するとともに、相補的な同軸プラグイン挿入コネクタに電気的および機械的に接続されるように設計された挿入端部１６を有する。インタフェース領域１６におけるコーディングハウジング１４の物理的寸法は、例えば、５０Ω無線周波数インタフェースのためのＦＡＫＲＡ標準化方式に準拠したものである。
【００２２】
外側導体部品１０と中央導体部品１２とコーディングハウジング１４とは、同軸プラグイン挿入コネクタが組み立てられるために、外側導体部品１０と中央導体部品１２とが挿入端部１６からコーディングハウジング１４へ挿入されるように設計される。
【００２３】
外側導体部品１０がコーディングハウジング１４に装着された時に、第１接点ピン１８がそれぞれの第１開口部２０に嵌通するように、外側導体部品１０は４本の第１接点ピン１８を有し、コーディングハウジング１４は４個の第１開口部２０を有する形状である。中央導体部品１２がコーディングハウジング１４に装着された時に第２接点ピン２２が第２開口部２４に嵌通するように、中央導体部品１２は第２接点ピン２２を有し、コーディングハウジング１４は第２開口部２４を有する形状である。
【００２４】
本発明によれば、同軸プラグイン挿入コネクタにおいて外側導体部品１０と同軸に中央導体部品１２を保持する絶縁部品２６が、コーディングハウジング１４と一体的に設けられる。この絶縁部品２６は誘電材料で製作される。誘電材料と径方向における絶縁部品２６の厚さとは、この場合、予め定められた所望の特徴的インピーダンスが結果として得られるように選択される。コーディングハウジング全体は、射出成形品の形状でこの誘電材料から製造されることが好ましい。
【００２５】
コーディングハウジング１４に第１および第２開口部２０，２４を有する、挿入部１６と反対の端部は、プリント回路基板（不図示）への接続のために設計されている。この目的のため、第１および第２接点ピン１８，２２は、プリント回路上の「フットプリント」と呼ばれる領域で対応の開口部に嵌通し、この領域で、同軸プラグインコネクタは、プリント回路基板に電気的および機械的に接続される。
【００２６】
外側導体部品１０と中央導体部品１２とは、スタンプ加工またはプレス加工による曲げ部品の形状である。
【００２７】
示された実施形態では、同軸プラグイン挿入コネクタはソケットの形状を取る。しかし、そうすることがコネクタにとって不可欠であるわけではない。同軸プラグイン挿入コネクタはプラグの形状を取ってもよい。
【図１】
0005411873.tif 000002
【図２】
0005411873.tif 000003
【図３】
0005411873.tif 000004
【図４】
0005411873.tif 000005
【図５】
0005411873.tif 000006